(57)【要約】      （修正有）【課題】溝内の床面仮設作業を容易且つ迅速に効率よく行える溝内床面仮設装置を提供する。【解決手段】溝１の上部開放側の幅方向を塞ぐよう当該溝内に嵌め込まれる平板状の床面部１１２と、前記床面部の左右両縁の各々の縁の少なくとも一部から溝の両側壁１２に沿って下方に延在する側面部とを備えた（断面略伏せコ字状の）床面部材と、前記床面部材を溝底や流水面より上空の溝内の適所に位置させるよう前記側面部に設けられた床面支持手段と、前記床面部の上面に更に重ねられて溝の幅方向を密に塞ぐように敷設により構成する。【選択図】図２
0003149556.tif 000002
【実用新案登録請求の範囲】
【請求項１】
溝の上部開放側の幅方向を塞ぐよう当該溝内に嵌め込まれる平板状の床面部と、
前記床面部の左右両縁の各々の縁の少なくとも一部から溝の両側壁に沿って下方に延在する側面部とを備えた（断面略伏せコ字状の）床面部材と、
前記床面部材を溝底や流水面より上空の溝内の適所に位置させるよう前記側面部に設けられた床面支持手段とを備えた溝内床面仮設装置において、
前記床面部の上面に更に重ねられて溝の幅方向を密に塞ぐように敷設される敷板を備えたことを特徴とする溝内床面仮設装置。
【請求項２】
敷板はその下面側に下方に向けて突出する係合凸部を有し、床面部は前記係合凸部を挿脱自在で密に受け入れる係合凹部を有することを特徴とする請求項１に記載の溝内床面仮設装置。
【請求項３】
対を成す係合凸部と係合凹部とは少なくとも一枚の敷板につき複数対設けたことを特徴とする請求項２に記載の溝内床面仮設装置。
【請求項４】
係合凸部は円柱状、係合凹部は円穴状であることを特徴とする請求項２又は請求項３に記載の溝内床面仮設装置。
【請求項５】
係合凸部の固定部位は敷板の板の厚み内において嵌合固定されたことを特徴とする請求項２乃至請求項４の何れかに記載の溝内床面仮設装置。
【請求項６】
敷板の下面と床面部の上面とが密着するように重ねられたことを特徴とする請求項１乃至請求項５の何れかに記載の溝内床面仮設装置。
【請求項７】
敷板の上面は平であることを特徴とする請求項１乃至請求項６の何れかに記載の溝内床面仮設装置。
【請求項８】
敷板は金属板又は合成樹脂板であることを特徴とする請求項１乃至請求項７の何れかに記載の溝内床面仮設装置。
【考案の詳細な説明】
【技術分野】
【０００１】
本考案は、道路の側溝等、溝の内部に、溝の底面から所望の高さ位置に仮の床面を設置する溝内床面仮設装置に関する。
【背景技術】
【０００２】
既設の溝（以下、既設溝ともいう）、例えば、道路の側溝等においては、路肩に当たる溝の側壁上縁部（以下、上縁部ともいう）側は損傷を受け易く、これが破損すると、溝の蓋板（コンクリート板や金属製板或いは金属製網板等）の収まりが悪くなって、蓋板が一層ガタついて損傷が急速に拡大したり、騒音を発したりするため、破損具合に応じて溝の一方又は両側壁の上縁部側を除去したり、除去した当該部分の側壁を新たに構築するという改修工事が適宜行われる。
【０００３】
又、近時においては、側溝を挟んで路面と続く地面との段差を無くす所謂バリヤーフリーの観点から、既設溝の上縁部を切断して除去し、溝の側壁の高さを低くしたり、低くしてから改めて側溝の蓋板を被せるという改修工事が急増している。
【０００４】
このような従来の工法では、比較的幅が狭くて作業空間が小さい溝の中での、作業となる上、溝の流水を止めたり、流水の迂回路を設ける等の付帯工事が必要となり、多大な作業日時と手間とを要し、工事の作業効率の向上を望むことができない。
【０００５】
このため、溝内の溝底や流水面の上空の適所に、溝底や流水面の上空を覆う仮設床面を仮設するに当り、溝底や流水中に工事に伴って生ずるコンクリート破片やコンクリート屑や工事に用いる用具や部品等が溝底や流水に落下させない工夫を施した溝内床面仮設装置の提供を目的とする。
【考案の開示】
【課題を解決するための手段】
【０００６】
請求項１の溝内床面仮設装置の考案は、溝の上部開放側の幅方向を塞ぐよう当該溝内に嵌め込まれる平板状の床面部と、前記床面部の左右両縁の各々の縁の少なくとも一部から溝の両側壁に沿って下方に延在する側面部とを備えた（断面略伏せコ字状の）床面部材と、前記床面部材を溝底や流水面より上空の溝内の適所に位置させるよう前記側面部に設けられた床面支持手段とを備えた溝内床面仮設装置において、
前記床面部の上面に更に重ねられて溝の幅方向を密に塞ぐように敷設される敷板を備えたことを特徴とする。
【０００７】
請求項２の考案は、請求項１に記載の溝内床面仮設装置において、敷板はその下面側に下方に向けて突出する係合凸部を有し、床面部は前記係合凸部を挿脱自在で密に受け入れる係合凹部を有することを特徴とする。
【０００８】
請求項３の考案は、請求項２に記載の溝内床面仮設装置において、対を成す係合凸部と係合凹部とは少なくとも一枚の敷板につき複数対設けたことを特徴とする。
【０００９】
請求項４の考案は、請求項２又は請求項３に記載の溝内床面仮設装置において、係合凸部は円柱状、係合凹部は円穴状であることを特徴とする。
【００１０】
請求項５の考案は、請求項２乃至請求項４の何れかに記載の溝内床面仮設装置において、係合凸部の固定部位は敷板の板の厚み内において嵌合固定されたことを特徴とする。
【００１１】
請求項６の考案は、請求項１乃至請求項５の何れかに記載の溝内床面仮設装置において、敷板の下面と床面部の上面とが密着するように重ねられたことを特徴とする。
【００１２】
請求項７の考案は、請求項１乃至請求項６の何れかに記載の溝内床面仮設装置において、敷板の上面は平であることを特徴とする。
【００１３】
請求項８の考案は、請求項１乃至請求項７の何れかに記載の溝内床面仮設装置において、敷板は金属板又は合成樹脂板であることを特徴とする。
【考案の効果】
【００１４】
請求項１乃至請求項８の各考案によれば、何れも、床面部の上面に更に重ねられて溝の幅方向を密に塞ぐように敷設される敷板を備えた構成としたので、溝底や流水中に工事に伴って生ずるコンクリート破片やコンクリート屑や工事に用いる用具や部品等が溝底や流水へ落下する虞のない溝内床面仮設装置を提供できる。
【００１５】
請求項２乃至請求項４の各考案によれば、何れも、互いに挿脱自在に密に勘合する係合凸部と係合凹部とによって、床面部の上面に重ね置きされる敷板の横ズレを阻止し、安定した仮設床面を提供できる。
【００１６】
請求項５の考案によれば、係合凸部が設けられた部位の反対側に当たる敷板の上面側の相応する部位を他の上面と均一な平面とすることができるので、上面が平滑な仮設床面を提供できる。
【００１７】
請求項６の考案によれば、床面部の上面に敷板を密に重ねて２層構造となるので、堅牢な仮設床面を提供できる。
【考案を実施するための最良の形態】
【００１８】
本考案の最良の実施の形態を示す実施例を道路側溝用の溝内床面仮設装置の図面に基づいて説明する。
【実施例】
【００１９】
実施例の溝内床面仮設装置を示す図１は架設された状態を示す斜視説明図、図２は図１の横断面図である。
【００２０】
図１及び図２において、図中の符号１は溝（側溝）であり、１１は溝１の底面即ち溝底、１２、１２は溝１の側面即ち側壁、側面、１３は溝の上面即ち上部開放側である。
溝内床面仮設装置（以下、単に仮設装置ともいう）１０は、溝１の上部開放側１３を塞ぐよう、当該上部開放側１３から溝１内に落とし込むようにして嵌め込まれる床面部材１１１と、この床面部材１１１を溝底１１から所望の高さ位置に支えるように機能する床面支持手段としての複数の支柱部材１２１とを備えたものである。
【００２１】
溝内床面仮設装置１０の溝の長さ方向の長さは取り扱い可能な適宜の長さであればよい。図示の溝内床面仮設装置１０の長さは図示上の都合での長さである。
又、仮設装置の材質は金属製や合成樹脂製の何れでもよく、その他の材質のものであっても良く、限定されない。
【００２２】
図示の支柱部材１２１は、床面部材１１１から下方に延在する側溝当接部１１３の内面側に固定された複数のナット部１２２と、これらの各ナット部１２２にねじ込まれるボルト部１３０とで構成されており、このボルト部１３０が溝底１１に立脚してナット部１２２を介して、仮設床面としての床面部材１１１の高さが調節自在に支持され、且つネジ込み量の調整により床面部材１１１の水平維持が図られている。
【００２３】
床面支持手段として、例えば上記のような支持部材１２１を、上記の如く、ボルトとナットで構成とすることにより、支柱部材１２１を単純且つ容易に構成することができると共に、水平維持作業等溝１内の床面仮設作業を容易且つ迅速に行うことできる。
又、溝１の流水を遮断したり迂回させたりすることなく、流水をそのままで、流水の深さに応じて床面部材（仮設床面）１１１の高さを従来に較べて容易且つ自在に設定することができる。
【００２４】
床面部材１１１は、水平な床面部１１２と、この床面部１１２の両側縁から各々溝１の両側壁１２、１２の一部に沿って延在する側溝当接面部１１３、１１３とを備えている。図示の両側溝当接面部１１３、１１３は床面部１１２から下方に垂れる方向に延在させている。
【００２５】
このような側溝当接面部１１３、１１３を設けることにより、床面部（仮設床面）１１２を従来に較べてより安定且つ強固に設定することができると共に、床面部（仮設床面）１１２の水平維持を効果的に行わせることができる。
【００２６】
ボルト部１３０は、床面部１１２に穿たれた各ボルト挿通穴１３１を介してナット部１２２に鉛直方向からねじ込まれており、このボルト挿通穴１３１は、ナット部１２２にねじ込まれたボルト部１３０のボルト頭１３２に着脱自在に嵌合するボルト回し具（図示せず）が挿脱自在なサイズ（径）とされている。
【００２７】
従って、この実施例の溝内床面仮設装置１０は、溝１内に落とし込むようにして嵌め込み、溝１の上部開放側１３から鉛直方向に適宜なボルト回し具（図示せず）をボルト挿通穴１３１に差し込んで、床面部材１１１の下に在るボルト部１３０を自在に操作することができるので、床面部材１１１を溝底１１から所望の高さ位置に支える高さ維持や水平維持の調整作業を容易且つ迅速に行うことができる。
【００２８】
図２において、溝内床面仮設装置１０は、その床面部１１２を溝１内に落とし込むようにして嵌め込んで、当該床面部１１２で溝の幅方向における溝１の上部開放側１３を塞ぎたい、即ち、溝の底面や流水面に上方からの落下物が落ち込まないようにしたいのであるが、しかし、床面部１１２自体が装置１０の構造体の一部であるため、現場々の溝幅に蜜に勘合する幅の床面部を用意するには装置１０自体を必要な数、用意しなければならず、不経済であり現実的でない。
【００２９】
そこで、本考案は、床面部１１２の上面に更に重ねて溝の幅方向を密に塞ぐ敷板２００を敷設する構成とした。
図２及び図３において、敷板２００は、上面が平な金属板或いは又合成樹脂板の適当な材質のものであればよく、特に限定されない。
図示の敷板２００は、下面側に下方に向けて突出する係合凸部２０１を有し、床面部１１２にはこの係合凸部２０１を上方から挿脱自在で密に受け入れる係合凹部２０２が形成されている。
【００３０】
敷板２００と床面部１１２とに、このように、互いに挿脱自在に密に勘合する係合凸部２０１と係合凹部２０２とを設けることによって、床面部１１３の上面に重ね置きされる敷板２００の横ズレが阻止されて装置１０としての一体化が図れ、安定した仮設床面を提供することができる。
【００３１】
従って、上記のように対を成す係合凸部２０１と係合凹部２０２とは、少なくとも一枚の敷板２００につき二以上の複数対設ける程、横ズレ（溝の延在方向のズレ）をより確実に阻止することができる。
尚、図示の係合凸部２０１は円柱状、従って係合凹部２０２も相応する円穴状としてあるが、対を成す凹凸の形状はこれに限定されない。
【００３２】
図３に示すように、敷板２０の下面側に設けられる係合凸部２０１の固定部位は敷板２００の板の厚み内に納められた状態に嵌合固定されており、係合凸部２０１が設けられた部位の反対側に当たる敷板２００の上面側の相応する部位が当該敷板２００の他の上面と均一な平面とすることが好ましい。
敷板２００の上面は、工事用の機器、例えば、溝側壁の上部側を溝内側から水平に切削するカッター装置（図示せず）を走行させるため、このような工事の場合には平滑である事が必要となるからである。
【００３３】
床面部１１２の上面に敷板２００を密に重ねて、敷板２００の下面と床面部１１２の上面とが密着して重なる２層構造とすれば、比較的薄い敷板２００を用いても、或いはまた比較的薄い敷板２００と床面部１１２とを用いても、堅牢な仮設床面を提供することができるだけでなく、敷板２００や床面部１１２自体の重量を軽減できるので、比較的取り扱い軽量の敷板２００及び装置１０を提供することができる。
【００３４】
尚、床面支持手段としては、上記実施例では床面部１１２を溝底１１から垂直方向に支持する手段を示したが、これに限らず、要するに、床面部１１２や床面部材１１１を溝底１１や流水面（図示せず）より上空の溝内の適所に位置させる手段であればよい。例えば、溝の両側壁に突っ張り棒等を掛け渡して支持する手段筋（図示せず）等が考えられる。
【産業上の利用可能性】
【００３５】
本発明は、道路の側溝限らず、その他の溝についても広くて利用することができる。
【図面の簡単な説明】
【００３６】
【図１】図１は架設された状態を示す斜視説明図である。
【図２】図１の横断面図である。
【図３】図２の一部拡大断面図である。
【符号の説明】
【００３７】
１  溝
１１  溝底（溝の底面）
１２  側壁（溝の側面）
１３  上部開放側（溝の上面）
１０  溝内床面仮設装置
１１２  床面部（仮設床面）
１２１  支持部材（床面支持手段）
２００  敷板
２０１  係合凸部
２０２  係合凹部
【図１】
0003149556.tif 000003
【図２】
0003149556.tif 000004
【図３】
0003149556.tif 000005